(57)【要約】【課題】薄暗い内視鏡検査室内等であっても給水ボトル内の貯留水の残量を視認し易くした内視鏡用送水装置を提供すること。【解決手段】内視鏡の挿入部先端から噴出させるための水を貯留する半透明又は透明な給水ボトル２０を有する内視鏡用送水装置において、給水ボトル２０内に貯留された水３０の水面に浮いてその水面の変位に伴って変位して給水ボトル２０外から視認される浮き指標２６を設け、その浮き指標２６の外周面に、周囲と相違する色の指標線２９を水面の位置に合わせて設ける。【選択図】      図１
2007089623.tif 000002
【特許請求の範囲】
【請求項１】
内視鏡の挿入部先端から噴出させるための水を貯留する半透明又は透明な給水ボトルを有する内視鏡用送水装置において、
上記給水ボトル内に貯留された水の水面に浮いてその水面の変位に伴って変位して上記給水ボトル外から視認される浮き指標を設けたことを特徴とする内視鏡用送水装置。
【請求項２】
上記浮き指標の外縁が、上記給水ボトルの側壁の内周面に全周にわたって沿う形状に形成されている請求項１記載の内視鏡用送水装置。
【請求項３】
上記浮き指標の外周面に、周囲と相違する色の指標線が上記水面の位置に合わせて設けられている請求項１又は２記載の内視鏡用送水装置。
【請求項４】
上記浮き指標に、空気が封入された密閉空間が形成されている請求項１、２又は３記載の内視鏡用送水装置。
【請求項５】
上記浮き指標に、上記給水ボトルに貯留された水を送り出すための給水管が通過するための貫通孔が上下方向に貫通形成されている請求項１、２、３又は４記載の内視鏡用送水装置。
【発明の詳細な説明】
【技術分野】
【０００１】
この発明は内視鏡用送水装置に関する。
【背景技術】
【０００２】
内視鏡は一般に、観察窓の表面を洗浄するための水を挿入部の先端から噴出させることができるように構成されていて、その水を貯留するための給水ボトルが光源装置の筐体の側壁の外面に取り付けられている（例えば、特許文献１）。
【特許文献１】特公平１−４６１４１  第１図
【発明の開示】
【発明が解決しようとする課題】
【０００３】
そのような状態で内視鏡検査室内で用いられる給水ボトルは一般に、光を透かして見ることにより貯留水の残量を視認することができるよう、半透明のプラスチック等により形成されている。
【０００４】
しかし、一般に内視鏡検査は薄暗い状態で行われるので、内視鏡検査中には給水ボトル内の貯水量の残量を確認するのが難しいケースが大半であり、観察窓を洗浄している最中に突然水切れになって、内視鏡検査が大事なところで中断されてしまう場合があった。
【０００５】
そこで本発明は、薄暗い内視鏡検査室内等であっても給水ボトル内の貯留水の残量を視認し易くした内視鏡用送水装置を提供することを目的とする。
【課題を解決するための手段】
【０００６】
上記の目的を達成するため、本発明の内視鏡用送水装置は、内視鏡の挿入部先端から噴出させるための水を貯留する半透明又は透明な給水ボトルを有する内視鏡用送水装置において、給水ボトル内に貯留された水の水面に浮いてその水面の変位に伴って変位して給水ボトル外から視認される浮き指標を設けたものである。
【０００７】
なお、浮き指標の外縁が、給水ボトルの側壁の内周面の全周にわたって沿う形状に形成され、浮き指標の外周面に、周囲と相違する色の指標線が水面の位置に合わせて設けられていると視認が容易である。
【０００８】
また、浮き指標に、空気が封入された密閉空間が形成されていてもよく、浮き指標に、給水ボトルに貯留された水を送り出すための給水管が通過するための貫通孔が上下方向に貫通形成されていてもよい。
【発明の効果】
【０００９】
本発明によれば、給水ボトル内に貯留された水の水面に浮いてその水面の変位に伴って変位して給水ボトル外から視認される浮き指標を設けたことにより、薄暗い内視鏡検査室内等においても給水ボトルの外部から浮き指標を視認することで給水ボトル内の貯留水の残量を確認して、突然の水切れによる内視鏡検査の中断等を未然に防止することができる。
【発明を実施するための最良の形態】
【００１０】
内視鏡の挿入部先端から噴出させるための水を貯留する半透明又は透明な給水ボトルを有する内視鏡用送水装置において、給水ボトル内に貯留された水の水面に浮いてその水面の変位に伴って変位して給水ボトル外から視認される浮き指標を設け、その浮き指標の外周面に、周囲と相違する色の指標線を水面の位置に合わせて設ける。
【実施例】
【００１１】
図面を参照して本発明の実施例を説明する。
図３は、本発明の実施例の内視鏡用送水装置を略示しており、光源装置１０に内視鏡のコネクタ１が接続されている。図４はその内視鏡用送水装置の給水ボトル２０が取り付けられた状態の光源装置１０の正面図である。
【００１２】
光源装置１０に対して着脱自在な内視鏡のコネクタ１は、内視鏡の操作部から延出する可撓性連結管２の先端に取り付けられており、コネクタ１から突設されたライトガイド接続ロッド３が光源装置１０側に差し込まれ、光源装置１０内に配置されている光源ランプ１１の集光位置にライトガイドファイババンドルの入射端面が位置する状態になる。
【００１３】
４と５は、先端が内視鏡の挿入部先端において観察窓の表面に向けて開口するように内視鏡内に配管された送気管と送水管であり、その途中の操作部に配置されている図示されていない操作弁により開閉操作される。送気管４と送水管５の基端は共に、コネクタ１の側面に配置された接続口金６に接続されている。
【００１４】
光源装置１０内には送気ポンプ１２が配置されており、その出口孔１２ａは光源装置１０の筐体の側壁の上半部に開口し、その下方位置に、送水管５に送り込むための水を貯留する給水ボトル２０が配置されている。
【００１５】
給水ボトル２０は、半透明又は透明のプラスチック材料等により形成されていて、その上端部に螺合等により着脱自在に取り付けられたボトル蓋２１から上方に向かって、給気管２３の内側に給水管２４を配した構造の二重チューブが延出している。給気管２３と給水管２４は各々可撓性チューブにより形成されている。２２は、送気ポンプ１２の出口孔１２ａに差し込まれて給水ボトル２０内に連通する接続パイプである。
【００１６】
図２は給水ボトル２０の外観正面図、図１は側面断面図であり、給水管２４の内端部は給水ボトル２０内の底面近傍に開口する状態に配置されている。２５は、給水管２４の途中に介挿されて、給水ボトル２０内の空気と給気管２３内に位置する給水管２４とを連通させる状態に切り換え自在な切り換えコックである。
【００１７】
このような構成により、送気ポンプ１２から供給される空気が給気管２３を通って内視鏡の送気管４に送り出されると同時に、給水ボトル２０内が加圧空気で加圧されることにより、給水ボトル２０内の貯留水３０が給水管２４を通って内視鏡の送水管５に送り出され、図示されていない観察窓の表面に向かって空気や水を噴出させることができる。
【００１８】
給水ボトル２０内には、給水ボトル２０内の貯留水３０の水面に浮いてその水面の変位に伴って変位して、透明又は半透明に形成された給水ボトル２０の外部から視認されるプラスチック材等により形成された浮き指標２６が設けられている。
【００１９】
浮き指標２６には、空気が封入された密閉空間２７が形成されて貯留水３０の水面に浮く機能が保証されている。ただし、比重が１より小さなプラスチック材は水の表面に浮くので、空気が封入された密閉空間２７を設けなくても浮き指標２６を構成することができる。
【００２０】
浮き指標２６には、給水ボトル２０内の貯留水３０を送り出すための給水管２４が通過するための貫通孔２８が上下方向に貫通形成されており、貯留水３０の水面が変化しても浮き指標２６が給水管２４と干渉しない。
【００２１】
浮き指標２６は、外縁が、給水ボトルの側壁の内周面に全周にわたって沿う円盤状の形状に形成されていて、その外周面には、周囲と相違する色の指標線２９が貯留水３０の水面の位置に合う位置に全周にわたって設けられている。なお、指標線２９を蛍光塗料等で形成すると給水ボトル２０外からの視認性がより高まる。
【００２２】
このような構成により、薄暗い内視鏡検査室内等においても給水ボトル２０の外部から指標線２９を視認することで給水ボトル２０内の貯留水３０の残量を確認して、突然の水切れによる内視鏡検査の中断等を未然に防止することができる。
【図面の簡単な説明】
【００２３】
【図１】本発明の実施例の内視鏡用送水装置の給水ボトルの側面断面図である。
【図２】本発明の実施例の内視鏡用送水装置の給水ボトルの正面図である。
【図３】本発明の実施例の内視鏡用送水装置の側面略示断面図である。
【図４】本発明の実施例の内視鏡用送水装置の給水ボトルが取り付けられた状態の光源装置の正面図である。
【符号の説明】
【００２４】
２０  給水ボトル
２４  給水管
２６  浮き指標
２７  密閉空間
２８  貫通孔
２９  指標線
３０  貯留水
【図１】
2007089623.tif 000003
【図２】
2007089623.tif 000004
【図３】
2007089623.tif 000005
【図４】
2007089623.tif 000006